(57)【要約】【課題】  地域によって放送される番組が異なっても、地域差を吸収して視聴者の好みに合った番組の情報を得られるようにする。【解決手段】  映像表示装置１００を操作する操作端末２００が、映像表示装置１００を操作する内容を示す制御情報と操作端末の識別子と操作端末に設置された場所を示す場所情報とから構成される操作者情報Ｃを情報生成装置３００へ送信し、番組情報に順位を設定する情報生成装置３００が、受信した操作者情報Ｃに基づいて、番組情報を記憶している番組情報記憶装置から番組情報を検索して取得し、取得した番組情報に順位を設定し、順位の設定された番組情報を操作端末２００へ送信し、操作端末２００が受信した順位の設定された番組情報を表示する。【選択図】      図２
2005323314.tif 000002
【特許請求の範囲】
【請求項１】
有線又は無線により提供される複数の番組のなかから選択された番組の映像を表示する映像表示装置と、前記映像を視聴する操作者の操作内容に応じた制御情報を生成して前記映像表示装置に送信することで、前記映像表示装置が選択する番組を切り換える操作端末と、前記番組に関する情報である番組情報に順位を設定する情報生成装置と前記番組情報を記憶している番組情報記憶装置とにより構成され、少なくとも前記操作端末と前記情報生成装置とがネットワークを介して相互に接続された番組情報通知システムにおいて、
前記情報生成装置が前記番組情報記憶装置から前記番組情報を取得して前記操作端末へ送信し、前記操作端末が受信した番組情報を表示する番組情報通知方法であって、
前記操作端末は、
前記制御情報を、送信手段を通して前記映像表示装置へ送信する手順と、
前記操作内容と、前記操作端末の識別子と、前記操作端末を操作している場所を示す場所情報とから構成される操作者情報を、通信手段を通して前記情報生成装置へ送信する手順と、
前記情報生成装置が、
通信手段を通して前記操作者情報を受信し、この受信した操作者情報に基づいて、前記番組情報記憶装置から番組情報を検索して取得する手順と、
前記取得した番組情報に順位を設定し、この順位の設定された番組情報を、通信手段を通して前記操作端末へ送信する手順と、
前記操作端末が、
通信手段を通して前記順位の設定された番組情報を受信し、表示手段に前記順位の設定された番組情報を表示する手順と、
を実行すること、
を特徴とする番組情報通知方法。
【請求項２】
前記情報生成装置の制御手段による番組情報の検索と取得は、前記操作端末から送信された前記操作者情報に含まれる場所情報に基づいて行われること、
を特徴とする請求項１に記載の番組情報通知方法。
【請求項３】
前記情報生成装置の制御手段による番組情報の順位の設定は、前記取得した番組情報に対して、前記操作端末から送信された前記操作者情報に含まれる識別子毎に行われること、
を特徴とする請求項１又は請求項２に記載の番組情報通知方法。
【請求項４】
前記情報生成装置の制御手段による前記番組情報の順位付けは、前記番組情報記憶装置から取得した番組情報に対して重み付けを行って設定されること、
を特徴とする請求項１ないし請求項３のいずれか１項に記載の番組情報通知方法。
【請求項５】
前記重み付けは、過去の番組の視聴回数、選択したチャンネル又は番組、番組の分野、及び番組の出演者のうちの少なくとも１つにより行われること、
を特徴とする請求項４に記載の番組情報通知方法。
【請求項６】
ネットワークを介して情報生成装置と接続され、映像表示装置の操作を行う操作内容の制御情報を送信し、順位の設定された番組情報を前記情報生成装置から受信して表示する操作端末であって、
操作者による映像表示装置への操作を検出する操作入力手段と、
操作端末の場所を取得する場所情報取得手段と、
前記場所情報を記憶するための場所情報記憶手段と、
この端末装置に固有の識別子を記憶するための識別子記憶手段と、
前記操作入力手段から得られた検出信号を映像表示装置が解釈できる信号へ変換する信号生成手段と、
前記制御信号を映像表示装置へ送信する送信手段と、
前記識別子、前記制御信号、及び前記場所情報を基に操作者情報を生成する操作者情報生成手段と、
前記ネットワークを介して前記情報生成装置へ前記操作者情報を送信し、前記情報生成装置から順位の設定された番組情報を受信する通信手段と、
前記順位の設定された番組情報を表示する推薦情報表示手段と、
少なくとも、前記操作者情報の送信と、前記順位の設定された番組情報の受信、及び前記場所情報と前記操作者情報の記憶を制御する制御手段とを備えること、
を特徴とする操作端末。
【請求項７】
前記場所情報取得手段で取得した場所情報があらかじめ区分けされラベリングされたどのエリアに該当するのかを算出し、前記取得した場所情報をコード化した場所情報として記憶する構成を有すること、
を特徴とする請求項６に記載の操作端末。
【請求項８】
ネットワークを介して操作端末と番組情報記憶装置と接続され、順位の設定された番組情報を生成し、操作端末へ送信する情報生成装置であって、
前記操作端末から操作者情報を受信し、前記操作端末へ順位の設定された番組情報を送信する通信手段と、
少なくとも前記番組情報記憶装置から取得した番組情報に順位を設定した管理情報と前記操作者情報とから構成される個別操作者情報を記憶する個別情報記憶手段と、
前記操作者情報の受信、前記番組情報の順位の設定、前記順位の設定された番組情報の送信、及び前記個別操作者情報の記憶を制御する制御手段とを備えること、
を特徴とする情報生成装置。
【請求項９】
請求項１ないし請求項５のいずれか１項に記載の番組情報通知方法を、コンピュータに実行させることを特徴とする番組情報通知プログラム。
【請求項１０】
コンピュータを、ネットワークを介して操作端末と番組情報記憶装置と接続され、順位の設定された番組情報を生成し、操作端末へ送信する情報生成装置とするため、
前記コンピュータを、
少なくとも前記番組情報記憶装置から取得した番組情報に順位を設定した管理情報と前記操作者情報とから構成される個別操作者情報を個別情報記憶手段に記憶する手段、
前記操作者情報の受信、前記番組情報の順位の設定、前記順位の設定された番組情報の送信、及び前記個別操作者情報の記憶を手段、
として機能させること、
を特徴とする情報生成装置プログラム。
【請求項１１】
コンピュータをネットワークを介して情報生成装置と接続され、映像表示装置の操作を行う操作内容の制御情報を送信し、順位の設定された番組情報を表示する操作端末とするため、
前記コンピュータを、
操作者の操作を入力する操作入力手段から得られた検出信号を映像表示装置が解釈できる信号へ変換する信号生成手段、
前記変換された制御信号を、送信手段を介して映像表示装置へ送信させる手段、
前記識別子、前記制御信号、及び前記場所情報を基に操作者情報を生成する操作者情報生成手段、
通信手段により、前記ネットワークを介して前記情報生成装置へ前記操作者情報を送信し、前記情報生成装置から順位の設定された番組情報を受信する手段、
前記順位の設定された番組情報を表示する手段、
として機能させること、
を特徴とする操作端末プログラム。
【発明の詳細な説明】
【技術分野】
【０００１】
本発明は、視聴者（操作者）が視聴している場所や視聴者が嗜好する番組を考慮して、視聴者に対して、順位を設定した番組情報を提供する番組情報通知方法等に関する。
【背景技術】
【０００２】
従来から実施されている地上波アナログ放送、放送衛星（ＢＳやＣＳ）、ケーブルテレビ放送（ＣＡＴＶ）等に加えて、地上波デジタル放送が開始されたことにより、放送のチヤネル数は、飛躍的に増大しようとしている。このような状況の中で、放送される多数の番組の中から興味のある番組を選択し、有限の時間内で効率よく視聴することは、視聴者にとって重要な課題となっている。
【０００３】
この課題を解決するために、視聴者の嗜好等の情報を利用して、番組を選択し、視聴者へ提示する方法が提案されている。例えば、特許文献１には、リモコン等の操作端末に固有のＩＤを付与し、視聴者が操作端末を操作した際に、テレビ受像機に接続するネットワークを介して、サーバから固有ＩＤ毎に視聴履歴情報を収集し、収集した視聴履歴情報を基に、視聴者の好みに合った番組を提示するシステムが提案されている。
【特許文献１】特開２００３−６９９１２号公報（「放送システムにおける番組制御方法…」、請求項１、図１等）
【発明の開示】
【発明が解決しようとする課題】
【０００４】
しかしながら、特許文献１に記載の方法では、視聴者が操作端末を操作している場所を特定できない。つまり、地上波の放送やケーブルテレビの放送においては、地域によって放送される番組が異なるため、視聴者が視聴している場所を特定しないと、視聴者の好みに合った番組を選択し、提供することができないという問題がある。
この問題を解決するためには、テレビ受像機やそれを遠隔で操作する端末とその操作している視聴者との対応関係を明確にする必要がある。また、視聴者が所在する地域に応じた番組を提供するためには、視聴者と視聴者が所在する地域との対応関係も明確にしておく必要がある。
【０００５】
そこで、本発明は、テレビ受像機やそれを遠隔で操作する端末（操作端末）とその操作している視聴者との対応関係を明確にし、また、視聴者と視聴者が所在する地域との対応関係も明確にし、これにより、地域によって放送される番組が異なっても、地域差を吸収して視聴者の好みに合った番組の情報を得られる、番組情報通知方法等を提供することを主たる課題とする。
【課題を解決するための手段】
【０００６】
前記した課題を解決するため、本発明では以下のような手段を用いることとした。
請求項１に記載の発明では、映像を表示する映像表示装置を操作する操作端末が、映像表示装置を操作する内容を示す制御情報と操作端末の識別子と操作端末が設置された場所を示す場所情報とから構成される操作者情報を情報生成装置へ送信し、番組情報に順位を設定する情報生成装置が、受信した操作者情報に基づいて、番組情報を記憶している番組情報記憶装置から番組情報を検索して取得し、取得した番組情報に順位を設定し、順位の設定された番組情報を操作端末へ送信し、操作端末が受信した順位の設定された番組情報を表示することとした。
【０００７】
映像表示装置は、例えば、従来のテレビ受像機そのもので実現でき、その操作端末は、従来の赤外線リモコンに表示機能と通信機能とを追加することにより実現できる。さらに、情報生成装置は、従来のデータベース機能を備えたサーバにより実現できる。
請求項１で記載したように、操作端末と情報生成装置とをネットワークで接続したことにより、情報生成装置は、番組情報を一元的に管理することができ、番組情報への順位の設定もこの情報生成装置により実行することができる。順位の設定された番組情報は、視聴者（操作者）の嗜好に合う番組を提供するものである。
なお、操作端末と視聴者との対応関係は、ある視聴者が同一の操作端末を操作するということにより明確化される。また、視聴者と視聴者（操作端末）が所在する地域（場所）との対応関係は、場所情報を取得することにより明確化される。
【０００８】
請求項２に記載の発明では、番組情報記憶装置からの番組情報の検索と取得は、操作端末から受信した操作者情報に含まれる場所情報に基づいて行われる。また、請求項３に記載の発明では、番組情報の順位の設定は、取得した番組情報に対して、操作端末から受信した操作者情報に含まれる識別子毎に行われる。
【０００９】
日本では、地上波のテレビ放送の場合、概ね、都道府県単位で行われていることから、場所情報として都道府県を利用することができる。衛星放送の場合は、場所に特定されたものではないが、都道府県を指定したとしても、特に問題はない。場所情報を用いて番組情報の検索を行えば、各地方のローカル番組や、都道府県により異なる時間帯に放送されている番組を考慮した番組情報を得ることができる。
また、番組情報の順位の設定に識別子を用いれば、個々の視聴者に特化した順位を設定した番組情報を得ることが可能となる。
【００１０】
請求項４に記載の発明では、番組情報の順位は、番組情報記憶装置から取得した番組情報に対して重み付けを行った後に設定されることとした。
請求項５に記載の発明では、重み付けは、過去の番組の視聴回数、選択したチャンネル又は番組、番組の分野、及び番組の出演者のうちの少なくとも１つにより行われることとした。
なお、後記する実施形態では、重みは頻度（頻度情報）に相当する。
【００１１】
番組情報に対して重み付けを行い、順位を設定することは、単に視聴者による番組の視聴回数だけでなく、さまざまな指標から番組情報を評価し、その順位を設定することができることを意味する。その重み付けには、選択したチャンネル又は番組、番組の分野、番組への出演者を利用することができ、視聴者の多彩な要求に応じることが可能となる。
【００１２】
請求項６に記載の発明では、操作端末は、ネットワークを介して情報生成装置と接続され、映像表示装置の操作を行う操作内容の制御情報を送信し、順位の設定された番組情報を表示する手段と、少なくとも、映像表示装置への操作を検出する操作入力手段と、操作端末の場所を取得する場所情報取得手段と、前記場所情報を記憶する場所情報記憶手段と、この端末装置に固有の識別子を記憶するための識別子記憶手段と、前記操作入力手段から得られた検出信号を映像表示装置が解釈できる信号へ変換する信号生成手段と、前記制御信号を映像表示装置へ送信する送信手段と、前記識別子と前記制御信号、及び前記場所情報を基に操作者情報を生成する操作者情報生成手段と、前記ネットワークを介して前記情報生成装置へ操作者情報を送信し、前記情報生成装置から順位の設定された番組情報を受信する通信手段と、前記順位の設定された番組情報を表示する推薦情報表示手段と、少なくとも、前記識別子と前記場所情報と前記操作者情報の送信と、前記順位の設定された番組情報の受信、及び前記場所情報と前記操作者情報の記憶を制御する制御手段とを備えることとした。
【００１３】
映像表示装置は、例えば、従来のテレビ受像機により実現できる。操作端末は、従来のテレビ受像機を制御する操作端末が従来から備える機能に加えて、操作者情報を送信し、番組情報の順位付けされた情報を要求するとともに、推薦情報を受信する通信手段、操作者情報を通信手段が送信できない場合に一時的に蓄積する操作者情報記憶手段、操作者情報を、操作端末の識別子と映像表示装置の操作内容を示す制御情報と場所情報から構成される操作者情報を生成する操作者情報生成手段、場所情報を記憶している場所情報記憶手段、ＧＰＳ（Global Positioning System）又は複数基地局とのアンテナ感度測定又は手入力等による場所情報取得手段、操作端末を一意に識別する長さを少なくとも持つ数字等により実現される識別子を記憶する識別子記憶手段、順位付けされた番組情報を表示することが可能な表示面積を持つ液晶画面等で構成される堆薦情報表示手段、操作端末が受信した順位付けされた番組情報を適切な表示形式に変換する推薦情報生成手段を付加することにより実現する。
【００１４】
請求項７に記載の発明では、前記場所情報取得手段で取得した場所情報があらかじめ区分けされラベリングされたどのエリアに該当するのかを算出し、前記取得した場所情報をコード化した場所情報として記憶する構成を有することとした。
この構成は、前記した日本の放送事情に則したものである。
【００１５】
請求項８に記載の発明では、情報生成装置は、操作端末から操作者情報を受信し、映像表示装置へ順位の設定された番組情報を送信する通信手段と、少なくとも番組情報記憶装置から取得した番組情報に順位を設定した管理情報と操作者情報から構成される個別操作者情報を記憶する個別情報記憶手段と、操作者情報の受信、番組情報の順位の設定、順位の設定された番組情報の送信、及び個別操作者情報の記憶を制御する制御手段とを備えることとした。
【００１６】
情報生成装置は、従来のデータベース機能を備えたサーバにより実現できる。通信手段はサーバが備える機能であり、個別情報記憶手段はデータベースが備える機能である。制御手段は、従来から備える機能に加えて番組情報の順位の設定を制御する機能を付加したものである。情報生成装置では、識別子を用いて視聴者の情報を管理することが可能である。
【００１７】
請求項９に記載の発明は、請求項１ないし請求項５のいずれか１項に記載の番組情報通知方法を、コンピュータに実行させることを特徴とする番組情報通知プログラムである。
番組通知プログラムは、記憶媒体に記憶されて流通されたり、ネットワークを介して伝送されたりする。例えば、記憶媒体に記憶された番組通知プログラムは、ＣＰＵ（Central Processing Unit）によりＲＡＭ（Random Access Memory）上に読み出され、この読み出された番組通知プログラムを構成する各ステップがＣＰＵにより実行され、コンピュータに番組通知を行わせる。
また、請求項１０は情報生成装置プログラム、請求項１１は操作端末プログラムであり、コンピュータのＣＰＵがプログラムの各ステップを実行することで、当該コンピュータを情報生成装置や操作端末として機能させる。
【発明の効果】
【００１８】
本発明によれば、地域によって放送される番組が異なっても、地域差を吸収して視聴者の好みに合った番組の情報を得られる。これにより、視聴者は、好みの番組を、有限の時間内で効率よく視聴することができる。
【発明を実施するための最良の形態】
【００１９】
以下、本発明（番組情報通知方法、操作端末、情報生成装置、及びプログラム）を実施するための最良の形態（以下「実施形態」という）を、図面を参照して詳細に説明する。
【００２０】
≪番組情報通知システム≫
本実施形態の番組情報通信方法等が実施される番組情報通知システムの構成を、図１を参照して説明する。図１は、本実施形態の番組情報通知システムの全体構成を示す図である。番組情報通知システムは、映像を表示する映像表示装置１００、映像表示装置を操作する際に用いる操作端末２００、推薦情報Ｅ（図２参照）を生成する情報生成装置３００、番組情報を記憶している番組情報記憶装置４００、及び操作端末２００と情報生成装置３００と番組情報記憶装置４００とを含んで構成され、これらがそれぞれネットワーク５００で接続されている。ここで、推薦情報Ｅは、順位の設定された番組情報である。以下、番組情報通知システムの各構成を説明する。
【００２１】
〔映像表示装置〕
映像表示装置１００は、有線（例えばＣＡＴＶ）又は無線（例えばＢＳ、ＣＳ、地上波デジタル…）により提供される複数の番組のなかから選択された番組の映像を視聴者に対して表示するものであり、従来のテレビ受像機を用いて実現できる。この映像表示装置１００は、後記する操作端末２００が送信する操作信号Ａ（図２参照）により、例えば番組を切り換える等の操作がなされる。つまり、映像表示装置１００は、操作端末２００が送信する操作信号Ａを受信する図示しない受信手段、受信した操作信号Ａの内容に応じて表示している番組（映像）を切り換える図示しない制御手段等を備える。
【００２２】
〔操作端末〕
操作端末２００は、操作端末固有の番号である識別子を内蔵しており、視聴者（操作者）が操作端末２００を操作すると、映像表示装置１００へ、視聴者の操作内容に応じた操作信号（制御情報）Ａを送信すると同時に、操作者情報Ｃ（図２参照）をネットワーク５００経由で情報生成装置３００へ送信することで、推薦情報Ｅ（図２参照）を要求する。また、情報生成装置３００から推薦情報Ｅを受信し、視聴者が興味を持つであろう、その地域の番組を提示する。操作信号Ａ、操作者情報Ｃ、番組情報、推薦情報Ｅ等は、後で図面を参照して詳細に説明する。なお、一つの映像表示装置１００に対して、複数の操作端末２００を用いてもよい。
【００２３】
本実施形態の操作端末２００の構成を、図２を参照してさらに詳細に説明する。図２は、本実施形態の操作端末の構成を示す図である。図２に示すように、操作端末２００は、操作信号Ａを映像表示装置１００へ送信する送信手段２０１、図示しないボタンやスイッチ（以下「ボタン等」という）を有して、視聴者が操作するボタン等の操作内容を入力する操作入力手段２０３、操作入力手段２０３の操作内容（操作入力手段２０３のボタン等の操作を検出した検出信号）を制御情報に変換し、この制御情報に基づいて、操作信号Ａの生成、ボタン等の操作内容を示す操作信号Ｂの生成、推薦情報表示手段２１２での表示を制御する信号を生成する信号生成手段２０２を備える。なお、後記するように、操作信号Ａは、操作信号Ｂに開始識別部と終了識別部を付加した構成を、操作信号Ｂは、制御情報に機器コードを付加した構成をしている（図４参照）。
【００２４】
さらに、操作端末２００は、（１）場所情報と（２）制御信号Ｂと（３）操作端末２００に付与された固有の識別子とを含んでなる操作者情報Ｃを生成する操作者情報生成手段２０４、操作端末２００が置かれている場所（地域）の情報を記憶する場所情報記憶手段２０５、操作端末２００が置かれている場所（地域）の情報を取得する場所情報取得手段２０６、識別子入力手段２０８で取得した識別子を記憶する識別子記憶手段２０７、操作端末２００の識別子を入力する際に用いる識別子入力手段２０８、操作者情報Ｃを記憶する操作者情報記憶手段２０９、情報生成装置３００との通信を行う通信手段２１０、通信手段２１０を通して受信した推薦情報Ｅを推薦情報表示手段２１２で表示可能な形式に変換する表示情報生成手段２１１、表示情報生成手段２１１で表示可能な形式に変換された推薦情報Ｅを表示する推薦情報表示手段２１２を備える。また、操作者情報Ｃの送信と、順位の設定された番組情報（推薦情報Ｅ）の受信、及び場所情報と操作者情報の記憶を少なくとも制御する図示しない制御手段を有するものとする。
【００２５】
この操作端末２００は、例えば広く普及している赤外線による伝送技術を用いたＴＶ用のリモコンをベースに実現される。また、この操作端末２００は、携帯電話やＰＤＡ（Personal Digital Assistant）等のような、赤外線リモコンをエミュレートできる端末を転用することも可能である。具体的には、操作端末２００は、赤外線発光機能を有する電子回路、映像表示装置１００を制御するために必要な制御情報を記憶するメモリ又は他の記憶媒体、リモコン上のボタン等を操作することにより制御情報と機器コード、及び信号の始点・終点を表すコード等により構成される操作信号Ａに信頼性を高める変調を加えて赤外線で発光する端末により実現される。
【００２６】
ここで、制御情報は、操作端末２００から送信する操作信号Ａに含まれており、映像表示装置１００が受信する信号（放送波）の選択や、映像を指定する。具体的には、映像表示装置１００の電源ＯＮ／ＯＦＦ、映像表示装置１００への入力切り替え、チャンネルの切り替え、音量の調整等を制御する。また、機器コードは、操作端末２００が操作する映像表示装置１００等の機種毎に定められた番号である。
【００２７】
ちなみに、送信手段２０１は、赤外線発光素子とそれをコントロールするＩＣやメモリ等の電子回路により実現される。信号生成手段２０２や操作者情報生成手段２０４等は、ＩＣ、メモリ等の電子回路により実現される。場所情報は、例えば、都道府県毎に割り振られたコード（例えば北海道は０１、秋田は０２…）として記憶されている。場所情報は、ＧＰＳの位置情報を取得してもよいし、携帯電話を端末として利用する場合には、携帯電話会社が提供する場所情報を流用してもよいし、手入力により取得するようにしてもよい。取得した位置や場所のデータは、前記した都道府県毎に割り振られたコードに変換される。ちなみに、本実施形態では、図示しない制御手段が、場所情報取得手段２０６で取得した場所情報（例えばＧＰＳの緯度経度情報）から当該場所があらかじめ区分けされラベリングされたどのエリアに該当するのかを算出し、取得した場所情報をコード化した場所情報（都道府県毎に割り振られたコード）として、場所情報記憶手段２０５に記憶するものとする。
【００２８】
また、識別子入力手段２０８について、識別子の入力の方法としては、識別子を管理しているコンピュータ等とシリアルケーブル等を介して識別子を入力する方法、非接触型の信号受信機器を用いて識別子を入力する方法、また、識別子を記憶したＩＣカードから識別子を読み取る方法等がある。識別子には、必要十分な長さを有した操作端末毎に固有に付与する数値等で表現される。例えば、ＩＰｖ６で使われている１２８ビットアドレス等を利用することができる。操作者情報記憶手段２０９は、操作者情報生成手段２０４が生成した操作者情報Ｃを所定の時間記憶しており、メモリやハードディスク等の記憶媒体により実現される。通信手段２１０は、ネットワーク５００を介して、情報生成装置３００との間で情報の送受信を行う機器であり、例えば有線ＬＡＮ又は無線ＬＡＮのアダプタ等で実現される。推薦情報表示手段２１２は、例えば液晶表示装置等で実現される。
【００２９】
〔情報生成装置〕
本実施形態の情報生成装置３００の構成を、図３を参照して説明する。図３は、本実施形態の情報生成装置の構成を示す図である。
図３に示すように、情報生成装置３００は、通信を行う通信手段３０１と、情報生成装置３００を制御する制御手段３０２と、情報を記憶する記憶手段３０３と、情報を記憶して蓄積する個別情報記憶手段３０４から構成される。
【００３０】
通信手段３０１は、有線ＬＡＮや無線ＬＡＮのアダプタ等で実現される。制御手段３０２は、記憶手段３０３への情報の記憶、順位の設定された番組情報（推薦情報Ｅ）の生成、個別情報記憶手段３０４への個別操作者情報Ｄと推薦情報Ｅの記憶、検索、削除を制御する手段でありＩＣやメモリ等の電子回路により実現される。記憶手段３０３は、制御手段３０２の制御に従い、情報を一時的に記憶する手段でありＲＡＭ（Random Access Memory）等で実現される。個別情報記憶手段３０４は、制御手段３０２の制御により個別操作者情報Ｄと推薦情報Ｅを記憶する手段であり、ハードディスク等により実現される。
【００３１】
これらの構成により、情報生成装置３００は、ネットワーク５００を経由して操作端末２００から操作者情報Ｃを受信し、番組情報記憶装置４００から番組情報を検索して取得し、取得した番組情報に順位を設定して推薦情報Ｅとして操作端末２００へ送信する。
【００３２】
〔番組情報記憶装置〕
本実施形態の番組情報記憶装置４００は、ネットワーク５００に接続されており、情報生成装置３００からの要求に応じて番組情報を提供する。番組情報記憶装置４００は、コンピュータによるＷｅｂサーバを用いることができ、ＥＰＧ（Electrical Program Guide；電子番組ガイド）と呼ばれる番組情報により実現できる。ＥＰＧを用いると、チャンネルや放送エリア毎（例えば都道府県別）に番組の各種情報（番組の時間、出演者、ジャンル等）を取得することができる。つまり、番組情報記憶装置４００は公知の技術をそのまま適用することができる。
【００３３】
〔ネットワーク〕
ネットワーク５００は、電気通信設備により構成され、操作端末２００と情報生成装置３００と番組情報記憶装置４００とをそれぞれ接続し、その間で情報を伝送する役割を有する。
【００３４】
〔操作信号〕
操作信号（操作信号Ａ、及び操作信号Ｂ）のフォーマット例を、図４を参照して説明する。図４は、上段が操作信号Ｂのフォーマット例を、下段が操作信号Ａのフォーマット例を示す。
操作端末２００から映像表示装置１００に送信される操作信号Ａは、図４の下段に示すように、開始識別部（ヘッダ）、操作信号Ｂを内容とするデータ部、終了識別部（フッタ）を含んでなる。開始識別部は、映像表示装置１００に操作信号Ａの開始を識別させるためのものであり、終了識別部は、映像表示装置１００に操作信号Ａの終了を識別させるためのものである。
【００３５】
一方、操作信号Ｂは、図４の上段に示すように、機器コードと制御情報とを含んでなる。機器コードは、既に説明したように、操作端末２００が操作する映像表示装置１００等の機種毎に定められた番号である。また、制御情報も既に説明したように、映像表示装置１００が受信する信号（放送波）の選択や、映像を指定する。具体的には、映像表示装置１００の電瀕ＯＮ／ＯＦＦ、映像表示装置１００への入力切り替え、チャンネルの切り替え（ＵＰ／ＤＯＷＮ）、音量（ＵＰ／ＤＯＷＮ）の調整等を制御する情報である。
【００３６】
〔操作者情報〕
操作者情報Ｃの構成を、図５を参照して説明する。図５は、操作者情報のフォーマット例を示す図である。図５に示すように、操作者情報Ｃは、識別子、場所情報、機器コード、制御情報を含んで構成され、操作端末２００から情報生成装置３００に送信される。識別子は、前記したとおり、操作端末２００に固有の番号である。場所情報も前記したとおり、例えば都道府県毎に割り振られたコードである。機器コード、及び制御情報は、図４を参照して説明したとおりであるので説明を省略する。
【００３７】
〔個別操作者情報〕
個別操作者情報Ｄの構成を、図６を参照して説明する。図６は、個別操作者情報のフォーマット例を示す図である。図６に示すように、個別操作者情報Ｄは、識別子、機器コード、操作情報、管理情報とを含んで構成され（つまり操作者情報Ｃと管理情報とを含んで構成され）、情報生成装置３００の個別情報記憶手段３０４に記憶される。なお、操作情報は、図６に示すように、時刻、場所（場所情報）、制御情報が組となった１以上のレコードから構成されている。また、管理情報は、ジャンル、出演者、チャンネル等の情報から構成されている。
【００３８】
〔推薦情報〕
推薦情報Ｅの構成を、図７を参照して説明する。図７は、推薦情報のフォーマット例を示す図である。図７に示すように、推薦情報Ｅは、識別子、機器コード、推薦番組情報とを含んで構成される。識別子、及び機器コードは、既に説明したとおりであるので説明を省略する。推薦番組情報は、順位の設定された番組情報である（図１７参照）。
【００３９】
≪番組情報通知システムの動作の説明≫
次に、前記説明した番組情報通知システムの動作を、フローチャート等を参照して説明する。
【００４０】
〔操作端末の動作〕
まず、操作端末２００の動作を、図８を参照して説明する（適宜図１〜図７参照）。図８は、操作端末の動作を示すフローチャートである。
操作端末２００の操作入力手段２０３は、視聴者が操作するボタン等の操作を検出し、検出信号を信号生成手段２０２に送付する（Ｓ１００）。信号生成手段２０２は、受け取った検出信号を制御情報に変換する（Ｓ１０１）。信号生成手段２０２は、変換した制御情報に機器コードを付与して操作信号Ｂを生成する（Ｓ１０２）。この制御信号Ｂに開始を示す開始識別部と終了を示す終了識別部を付与して操作信号Ａを生成する（Ｓ１０３）。そして、この操作信号Ａを送信手段２０１から映像表示装置１００へ送信する（Ｓ１０４）。これにより、映像表示装置１００で表示する映像（番組）の切り換え、電源のＯＮ／ＯＦＦ、音量の調節等が行われる。
【００４１】
信号生成手段２０２は、併せて、操作信号Ｂを操作者情報生成手段２０４へ送付する（Ｓ１０５）。操作信号Ｂを受け取った操作者情報生成手段２０４は、場所情報記憶手段２０５から場所情報を読み出し、さらに、識別子記憶手段２０７から識別子を読み出し、識別子と場所情報と操作信号Ｂとから、図５に示す操作者情報Ｃを生成し、通信手段２１０へ送付する（Ｓ１０６）。通信手段２１０は、操作者信号Ｃを情報生成装置３００へ送信する（Ｓ１０７）。これにより、映像表示装置１００の操作と同時に、操作内容が情報生成装置３００に送信される。
【００４２】
〔操作端末の動作（通信断）〕
操作端末１００の通信断の際の動作を、図９を参照して説明する（適宜図１〜図８参照）。図９は、操作端末の通信断の際の動作を加えたフローチャートである。
図示しない制御手段が、通信手段２１０が操作者情報Ｃを送信可能か否かを判断する（Ｓ２００）。通信可能でない場合は、予め設定された一定時間の経過を待つとともに、その間、操作者情報記憶手段２０９に送信できない操作者情報Ｃを、生成時刻順に記憶する（Ｓ２０１）。一定時間経過後は、ステップＳ２００に戻り、再び通信手段２１０が送信可能か否かを判断する（Ｓ２００）。送信可能の場合は、図示しない制御手段が、操作者情報記憶手段２０９から操作者情報Ｃを時刻順に読み出し、通信手段２１０に送付する（Ｓ２０２）。通信手段２１０は、ネットワーク５００を介して操作者情報Ｃを情報生成装置３００へ送信する（Ｓ２０３）。これにより、通信断（通信の切断や通信の不具合）があっても、その間の操作内容は、あとで送信される。
【００４３】
〔情報生成装置の動作〕
操作者情報Ｃを受信した情報生成装置３００の動作を、図１０を参照して説明する（適宜図１〜図９参照）。図１０は、情報生成装置の動作を示すフローチャートである。
情報生成装置３００は、ステップＳ３００において、受信した操作者情報Ｃ（図５参照）に含まれる識別子に基づいて個別情報記憶手段３０４を検索し、同じ識別子を持つ個別操作者情報Ｄ（図６参照）の有無を判断する。その結果、同じ識別子を持つ個別操作者情報がない場合には、受信した操作者情報Ｃを、図６に示すような個別操作者情報Ｄとして登録し（Ｓ３０１）、同じ識別子を持つ個別操作者情報がある場合には、記憶されている個別操作者情報Ｄに受信した操作情報Ｃを追記して更新する（Ｓ３０２）。ちなみに、図６では、操作情報のところにデータが追記される。また、図１１では、左欄の表にデータが追記される。なお、操作者情報Ｃは、操作を行った時間も書き込まれているものとする（タイムスタンプ）。
【００４４】
図１１は、個別操作者情報を構成する操作情報と、この操作情報を分類整理して生成した番組操作情報の具体的な例を示す図である。情報生成装置３００は、ステップＳ３０１又はステップＳ３０２の次に、図１１の左欄に例示するような操作情報から番組に関する操作を拾い出し、図１１の右欄に例示するような番組操作情報を生成する（Ｓ３０３）。なお、本実施形態では、操作開始時点では映像表示装置１００で選択されているチャンネルが不明であるため、開始部分の情報は無視して番組操作情報を得る。
【００４５】
ちなみに、図１１では、その左欄の操作情報を分類整理すると、例えば、時間ｔ２〜ｔ４の間に場所ｐ１においてチャンネルＣｈ１を視聴（ｃｈ１を選択番組に）、時間ｔ４〜ｔ５の間に場所ｐ１においてチャンネルｃｈ２を視聴、時間ｔ５〜ｔ６の間に場所ｐ１においてチャンネルｃｈ３を視聴、時間ｔ８〜ｔ９の間に場所ｐ２においてチャンネルｃｈ４を視聴しているという、右欄の番組操作情報が生成されることを示している。ちなみに、図１１の左欄の操作情報からは、時間ｔ１に場所ｐ１で映像表示装置１００の電源をＯＮし、時間ｔ５に場所ｐ１でその電源をＯＦＦしていること、時間ｔ７に場所ｔ２で映像表示装置１００の電源をＯＮし、時間ｔ９に場所ｐ２でその電源をＯＦＦしていること等が読み取れる。
【００４６】
ステップＳ３０３の次に、情報生成装置３００は、操作者情報Ｃ（図５参照）に含まれている場所情報（前記したような都道府県毎に割り振られたコード）に基づいて、番組情報記憶装置４００から、操作端末２００が操作されている地域の番組情報を検索し、番組視聴情報を得る（Ｓ３０４）。
【００４７】
図１２に番組視聴情報を例示する。図１２に示すように、番組視聴情報は、視聴開始時間、視聴時間、視聴番組長、ジャンル、チャンネル、出演者情報の項目から構成される。この図に例示される番組視聴情報の最初のレコードは、視聴者の視聴にかかる番組のジャンルはｇ１、番組のチャンネルはｃｈｇ１、番組の出演者はａ１・ａ２・ａ３、視聴者が視聴を開始した時間（視聴開始時間）はｔｓ１、視聴者が視聴した時間（視聴時間）はｔｌ１、その番組の長さ（視聴番組長）はＰｔｌ１であることを示している。
【００４８】
ここで、図１０のステップＳ３０４を、図１３を参照して説明する。図１３は、情報生成装置の動作におけるステップＳ３０４を説明するフローチャートである。なお、動作の主体は、情報生成装置３００の制御手段３０２である。
【００４９】
まず、番組操作情報を読み込む準備として、カウントのための変数を初期化して、ｉ＝１に設定する（Ｓ３０４−０１）。次に、番組操作情報から情報が読み取れるか判断をする。ステップＳ３０４−０２において、番組操作情報を全て読み込み終わったか否かにより、読み込みが終わっている場合（ＹＥＳ）は、処理を終了する。読み込みが終わっていない場合（ＮＯ）は、次のステップＳ３０４−０３ヘ進む。スッテップＳ３０４−０３では、番組操作情報から１行を読み込み、視聴開始時刻、視聴終了時刻、場所情報、選択チャンネル情報といった情報を得る（Ｓ３０４−０３）。
【００５０】
次に、ステップＳ３０４−０３で得た各情報から、算出の初期値として、ｔｓｃ（視聴開始時刻）とｔｅｃ（１つのチャンネルを視聴し終えた視聴終了時刻）というパラメータを設定する（Ｓ３０４−０４）。図１１の例の場合は、ｔｓｃ＝ｔ２、ｔｅｃ＝ｔ４となる。
【００５１】
次に、制御手段３０２が、場所情報と選択チャンネルと視聴開始時刻（ｔｓｃ）をもとに番組情報記憶装置４００を検索して、Ｐｔｌｃ（視聴している番組の長さ（視聴番組長））、Ｐｔｓｃ（視聴している番組の開始時間）、Ｐｔｅｃ（視聴している番組の終了時刻）を求める（Ｓ３０４−０５）。
【００５２】
次に、同一チャンネルで視聴者が、複数の番組を視聴しているかどうか、つまり、視聴時間が複数の番組にまたがっているかどうかを判定する（Ｓ３０４−０６）。視聴している番組の放送時間（視聴番組長）よりも視聴時間が長い場合は、またがって番組を視聴していると判断して分割処理する。具体的には、ｔｅｃとＰｔｅｃの大小判定でまたがっているかいないかの判定を行い、ｔｅｃ＜Ｐｔｅｃ又はｔｅｃ＝Ｐｔｅｃの場合は、またがっていないとして、ステップＳ３０４−０７へ進む。一方、ｔｅｃ＞Ｐｔｅｃの場合は、またがっているとして、ステップＳ３０４−１１へ進む。
【００５３】
次に、またがっていない場合のステップＳ３４０−０７で、視聴を開始した時刻ｔｓ（ｉ）を設定する。なお、ｔｓ（ｉ）＝ｔｓｃである。ステップＳ３０４−０８で、視聴した時間ｔｌ（ｉ）と、視聴した番組の長さＰｔｌ（ｉ）を設定する。なお、ｔｌ（ｉ）＝ｔｅｃ−ｔｓｃであり、Ｐｔｌ（ｉ）＝Ｐｔｌｃである。
【００５４】
そして、ステップＳ３４０−０９で、これらのパラメータに基づき番組情報記憶装置を検索して、視聴番組のジャンル情報ｇ（ｉ）を求める。
【００５５】
一方、ステップＳ３０４−０６において、複数番組を視聴している（視聴時間が複数の番組にまたがっている）と判断された場合（ｔｅｃ＞Ｐｔｅｄ）は、次のようになる。視聴開始した時刻ｔｓ（ｉ）には、ｔｓｃを設定する（Ｓ３０４−１１）。視聴した時間ｔｌ（ｉ）と、番組の長さＰｔｌ（ｉ）を設定する（３０４−１２）。なお、ｔｌ（ｉ）＝Ｐｔｅｃ−ｔｓｃであり、Ｐｔｌ（ｉ）＝Ｐｔｌｃである。ちなみに、図１１の例では、ｉ＝１のときｔｓ（ｉ）＝ｔｓｃ＝ｔ２、ｔｌ（ｉ）＝ｔｅｃ−ｔｓｃ＝ｔ４−ｔ２である。
【００５６】
次に、場所情報と選択しているチャンネルと視聴開始時刻ｔｓ（ｉ）をもとに番組情報記憶装置４００を検索することで、ジャンル情報ｇ（ｉ）を求める（Ｓ３０４−１３）。ステップＳ３０４−１３の後は、２つ目以降の番組情報算出の初期値を設定する（Ｓ３０４−１４）。なお、ｔｓｃにはＰｔｅｃを設定し（ｔｓｃ＝Ｐｔｅｃ）、ｔｅｃには処理に使用していた値を縦続して使用する（ｔｅｃ＝ｔｅｃ）。場所情報、及び、選択しているチャンネル情報もそのまま保持する。そして、カウントのための変数を１つ繰上げて、ｉ＝ｉ＋１として、ステップＳ３０４−０５に戻る（Ｓ３０４−１５）。
【００５７】
以上説明したステップＳ３０４−０１〜Ｓ３０４−１５の処理を行い、図１２に示すような番組視聴情報を得る（Ｓ３０４）。
【００５８】
次に、ステップＳ３０４で得た番組視聴情報（図１２参照）からジャンル毎の視聴の頻度（頻度情報）を得る（Ｓ３０５）。頻度情報は、例えば、ある番組を視聴した時間（視聴時間）を、本来の番組の長さの時間（視聴番組長）で割った数字で表すことにすると、頻度情報は次のようになる。
頻度情報＝視聴時間／視聴番組長
なお、本実施形態では、重みは、頻度（頻度情報）である。ちなみに、上の式では、頻度情報は１以下の値になるが、図１２では頻度が１以上になっている。これは、図１２では、上の式で得られる値を積算していることによる。
【００５９】
また、チャンネル毎の順位設定（図１２（ｂ））は、その視聴者によりどのチャンネルが多く選ばれているかは、過去のデータの蓄積から判別できるので、それを重み（つまり頻度）にしている。出演者毎の順位設定例（図１２（ｃ））は、どの出演者が出ている番組が多く視聴されているかは、過去のデータの蓄積から判別できるので、それを重み（つまり頻度）にしている。
【００６０】
次に、ジャンル毎の頻度情報をソートして、ジャンル毎の順位を設定し、個別操作者情報Ｄの管理情報として記憶する（Ｓ３０６）。
【００６１】
図１４にジャンル毎の順位設定例を示す。図１４の、（ａ）はジヤンル毎の順位設定例を、（ｂ）はチャンネル毎の順位設定例を、（ｃ）は出演者毎の順位設定例を示す図である。
図１４（ａ）における順位は、識別子毎（つまり視聴者毎）に得られる過去の視聴の頻度（頻度情報）を基に、番組のジャンルに対して、視聴者の興味があると思われる順番に設定したものである。同様な操作により、図１４の（ｂ）や（ｃ）に示すように、チャンネルと出演者の順位設定もジャンル毎に求めることができる。なお、チャンネル毎の順位を設定する場合は、場所による違いを吸収する必要があるため、場所毎のグルーピング（チャンネルグループ）を図１５に示すように予め定めておき、チャンネルグループ（ｃｈｇ）を基準として扱うことで対応する。
【００６２】
なお、図１５は、チャンネルグループを示す図であるが、この図でのチャンネルグループのｃｈｇ１についていえば、場所ｐ１でのチャンネルｃｈ１は、場所ｐ２ではチャンネルｃｈ３に該当し、場所ｐ３ではチャンネルｃｈ１に該当し、場所ｐ４ではチャンネルｃｈ１に該当すること示している。また、チャンネルグループｃｈｇ６についていえば、場所ｐ１でのチャンネルｃｈ６は、場所ｐ２や場所ｐ３では該当するチャンネルがなく、場所ｐ４ではチャンネルｃｈ２が該当することを示している。
【００６３】
説明を図１０のフローチャートに戻す。
情報生成装置３００は、操作端末２００からの要求に従い、管理情報（図６参照）として記憶されているジャンル毎の順位に基づいて、要求時の場所情報と番組情報とから視聴者の興味のあるジャンル毎の順位に従って番組情報に順位を設定する（順位の設定された番組情報を生成する、Ｓ３０７）。
【００６４】
ステップＳ３０５までの処理により図１４（ａ）のようなジャンル毎の順位設定が行われ、さらに、ある日における番組表、つまり、順位を付与すべき番組情報（ジャンル付き）が図１６のように与えられている場合で、時刻１８：４０に推薦を行うとき、堆薦するジャンルの順位は図１７に示すような推薦結果となる。
【００６５】
この際、出演者やチャンネルによる順位付けを行ったりする方法等も考えられる。例えば、図１７に示すように、「ニュース・報道」のジャンルの順位が高位にあるが、定時のニュースは、各チャンネルでも同時に放送することがあるため、順位の高いチャンネルを選択することで、同時刻に同じジャンルばかりの推薦を避けることができる。つまり、同じ時間帯に同じジャンルの番組が推薦されても、視聴者にとってはありがたくない場合が想定されるが、本実施形態では、同じジャンルの番組ならこのチャンネルが好きだというような嗜好を考慮して、同じジャンルでもある特定のチャンネルを推薦できる。
【００６６】
情報生成装置３００は、順位の設定された番組情報を視聴者に対して番組を推薦する推薦情報Ｅとして、ネットワーク５００を介して、操作端末２００へ送信する（Ｓ３０８）。そして、図１８に示すフローチャートに進む（「操作端末の動作（受信後）へ」）。
【００６７】
〔操作端末の動作（受信後）〕
操作端末２００の動作（受信後）を説明する（適宜図１〜図１７参照）。図１８は、操作端末２００の受信後の動作を示すフローチャートである。
操作端末２００の通信手段２１０は、情報生成装置３００から送られてきた推薦情報Ｅを受信して、表示情報生成手段２１１へ送る（Ｓ４００）。表示情報生成手段２１１は、受け取った推薦情報Ｅを推薦情報表示手段２１２で表示できるような形式に変換した上で、推薦情報表示手段２１２へ送り（Ｓ４０１）、推薦情報表示手段２１２が推薦情報Ｅに含まれる推薦番組情報（図１７参照）を表示する（Ｓ４０２）。
【００６８】
これにより視聴者は、操作端末２００の推薦情報表示手段２１２に表示された推薦情報Ｅを見ることができ、このため視聴者は、自分の嗜好と、視聴している場所に合った映像を容易に選択することが可能となる。しかも、この推薦情報Ｅは、場所の違いを吸収したものとなっている。
【００６９】
以上、説明したように、視聴者が操作する操作端末２００の識別子と、操作端末２００を操作している場所情報を取得することにより、視聴者と操作端末２００、及び視聴者の所在の対応関係を明確にすることができる。
また、識別子と場所情報を用いて、過去に視聴者が視聴した番組情報を記憶して順位を設定し、識別子と場所情報を用いて視聴者が興味を持つと思われる番組を選択し、視聴者に対して番組の推薦情報として提示することが可能になる。
【００７０】
（発明の効果の欄から移植）
つまり、以上説明した実施形態によれば、操作端末２００は、この操作端末２００の識別子と操作端末２００が操作されている場所情報を取得し記憶する手段によって得られた場所情報を、情報生成装置３００に送信し、情報生成装置３００は、受信した識別子と場所情報とから順位の設定された番組情報（推薦情報Ｅ）を生成して操作端末２００へ送信する。このため、操作端末２００は、視聴者の好みに合った推薦情報Ｅを視聴者に提示することができる。その結果、視聴者は、視聴者に関する情報の入力という面倒な作業をすることなく、視聴者の好みに合った番組を、視聴者の所在地が通常とは異なる地域であっても知ることが可能となる。
【００７１】
また、以上説明した実施形態によれば、操作者情報Ｃに含まれる場所情報に基づいて、番組情報を記憶している番組情報記憶装置４００から番組情報の検索と取得を行うことにより、視聴者が所在する地域を反映させて番組情報（ＥＰＧ）を検索し、取得することが可能になる。また、番組情報記憶装置４００から取得した番組情報の順位の設定を、操作者情報に含まれる識別子毎に行うことにより、視聴者による過去の番組の視聴頻度等の特徴を反映させた番組情報を得ることが可能となる。ちなみに、番組情報はＥＰＧによるものであり、前記したとおり、このＥＰＧによる番組情報からは、チャンネル毎、放送エリア毎（地域毎）に番組の各種情報（番組の時間、出演者、ジャンル等）を取得することができる。
【００７２】
以上、本発明の実施の形態の一例を示したが、本発明は前記した実施形態に限定されるものではなく、本発明の要旨を逸脱しない鞄囲でさまざまな実施の形態が考えられる。
なお、本実施形態では、操作端末２００への推薦情報Ｅの送信は、視聴者が、番組の視聴を目的として操作端末２００を操作したことをきっかけとして実行されたが、例えば推薦情報Ｅの送信を独立して要求する手段（推薦情報要求手段）を操作端末２００に設け、視聴者がこの推薦情報要求手段（図示せず）を操作したことをきっかけとして実行してもよい。その場合には、例えば予め順位が設定され、個別情報記憶手段３０５内の識別子毎に用意された個別操作者情報Ｄ内の管理情報に記憶されている番組情報を読み出し、図７に示す推薦情報Ｅとして操作端末２００へ送信することになる。
【図面の簡単な説明】
【００７３】
【図１】本発明に係る実施形態の番組情報通知システムの全体構成を示す図である。
【図２】図１の操作端末の構成を示す図である。
【図３】図１の情報生成装置の構成を示す図である。
【図４】上段に操作信号Ｂのフォーマット例を、下段に操作信号Ａのフォーマット例を示す図である。
【図５】操作者情報のフォーマット例を示す図である。
【図６】個別操作者情報のフォーマット例を示す図である。
【図７】推薦情報のフォーマット例を示す図である。
【図８】操作端末の動作を示すフローチャートである。
【図９】操作端末の通信断の際の動作を加えたフローチャートである。
【図１０】情報生成装置の動作を示すフローチャートである。
【図１１】個別操作者情報を構成する操作情報と、この操作情報を分類整理して生成した番組操作情報の具体的な例を示す図である。
【図１２】番組視聴情報を例示する図である。
【図１３】情報生成装置の動作におけるステップＳ３０４を説明するフローチャートである。
【図１４】（ａ）はジャンル毎の順位設定例を、（ｂ）はチャンネル毎の順位設定例を、（ｃ）は出演者毎の順位設定例を示す図である。
【図１５】チャンネルグループを示す図である。
【図１６】順位を付与すべき番組情報（ジャンル付き）を例示する図である。
【図１７】推薦番組情報の例を示す図である。
【図１８】端末装置の受信後の動作を示す図である。
【符号の説明】
【００７４】
１００  映像表示装置
２００  操作端末
３００  情報生成装置
４００  番組情報記憶装置
５００  ネットワーク
【図１】
2005323314.tif 000003
【図２】
2005323314.tif 000004
【図３】
2005323314.tif 000005
【図４】
2005323314.tif 000006
【図５】
2005323314.tif 000007
【図６】
2005323314.tif 000008
【図７】
2005323314.tif 000009
【図８】
2005323314.tif 000010
【図９】
2005323314.tif 000011
【図１０】
2005323314.tif 000012
【図１１】
2005323314.tif 000013
【図１２】
2005323314.tif 000014
【図１３】
2005323314.tif 000015
【図１４】
2005323314.tif 000016
【図１５】
2005323314.tif 000017
【図１６】
2005323314.tif 000018
【図１７】
2005323314.tif 000019
【図１８】
2005323314.tif 000020